(57)【要約】      （修正有）【課題】開放型重力式水車を河川の本流に設置する場合、塵芥や木材等の各種夾雑物の流入によって水車の羽根等が短い期間で損壊しない、実用に耐えられる河川の本流に設置可能な開放型重力式水車を提供する。【解決手段】この発明の除塵用スクリーンを備えた開放型重力式水車は、水路１１の上部に設けられた支軸１２に首振り可能に取り付けられ、かつ下部に遮蔽板１４を取り付けて水路１１の水流を遮蔽板１４上部から下部に向かう水流を作り出すスクリーン本体１３と、スクリーンの前面を昇降するよう設置した降下式レーキ１５とを備えた除塵用スクリーンと、スクリーン本体１３の背面側において、水路１１の上部に設けられた支軸１２に首振り可能に取り付けられた発電用水車２１とを有するようにした。【選択図】図１
2012215053.tif 000002
【特許請求の範囲】
【請求項１】
水路の上部に設けられた支軸に首振り可能に取り付けられ、かつ下部に遮蔽板を取り付けることにより、前記水路において前記遮蔽板上部から下部に向かう水流を作り出すスクリーン本体と、該スクリーンの前面を昇降するよう設置した降下式レーキとを備えた除塵用スクリーンと、
前記スクリーン本体の背面側において、前記支軸に首振り可能に取り付けられた発電用水車とを有するようにしたことを特徴とする除塵用スクリーンを備えた開放型重力式水車。
【請求項２】
１）前記水路内に配置した前記スクリーン本体の前面に夾雑物が溜まると降下式レーキを下降させて夾雑物を遮蔽板より下側に押し下げることにより前記スクリーン本体の目詰まりを防止し、かつ一定量の夾雑物が遮蔽板の前面に貯留した場合には、前記除塵用スクリーンおよび発電用水車を支軸を中心に水路の後方に向けて首振りさせて所定高さまで持ち上げることにより、夾雑物を水路底との隙間から強制排出させ、
２）大雨や台風等で水路が増水した場合には、前記除塵用スクリーンおよび発電用水車を支軸を中心に水路の後方に向けて首振りさせることにより、それぞれ水路上に持ち上げ可能としたことを特徴とする請求項１に記載の除塵用スクリーンを備えた開放型重力式水車。
【請求項３】
前記スクリーン本体および発電用水車は、前記除塵用スクリーンおよび発電用水車を支軸を中心に水路の後方に向けて首振りさせて水路上に持ち上げる際、前記降下式レーキで前記スクリーン本体の下部を押し上げて、前記スクリーン本体のみならず前記発電用水車をも水路上に持ち上げることができるようにしたことを特徴とする請求項１に記載の除塵用スクリーンを備えた開放型重力式水車。
【請求項４】
前記スクリーン本体および発電用水車は、それぞれ支軸の反対側にバランス用重りを取り付けられており、
前記スクリーン本体のバランス用重りは、前記スクリーン本体の先端を水路の底面に押し付けるよう常態において支軸の後方位置に配置され、前記スクリーン本体を水路上に持ち上げる際には、負荷が軽減できるように重りを支軸の前方位置に移動し、
前記発電用水車のバランス用重りは、前記発電用水車を水路上に持ち上げる際には、負荷が軽減できるように重りを支軸の前方位置に移動することを特徴とする請求項１に記載の除塵用スクリーンを備えた開放型重力式水車。
【請求項５】
前記スクリーン本体および発電用水車に取り付けたバランス用重りは、前記除塵用スクリーンおよび発電用水車を支軸を中心に水路の後方に向けて首振りさせて水路上に持ち上げる際、負荷が軽減できるように重りの重心位置や重量を調節可能としたことを特徴とする請求項４に記載の除塵用スクリーンを備えた開放型重力式水車。
【請求項６】
前記スクリーン本体と発電用水車との間に、竹や木材等の長尺の夾雑物が挟まった場合は、前記発電用水車のみ首振りして持ち上げられ、前記遮蔽板との隙間が拡大してその部分を水が通過することで前記発電用水車にかかる回転力は減少し、回転トルクがなくなった前記発電用水車は無理な回転をしなくなって特に致命的な損傷を受けることがないようにしたことを特徴とする請求項１に記載の除塵用スクリーンを備えた開放型重力式水車。
【請求項７】
前記スクリーン本体と発電用水車とからなる開放型重力式水車が、前記水路の上部に設けられた支軸に首振り可能に取り付けられた１または２以上の付随する発電用水車を下流側に所定の間隔で連結し、かつ付随する発電用水車の首振りを前記主たる発電用水車の駆動手段で連動して行うとともに、水路の増水の際には一斉に発電用水車を水路上に持ち上げることを可能としたことを特徴とする請求項１に記載の除塵用スクリーンを備えた開放型重力式水車。
【請求項８】
前記付随する発電用水車が、その上流側の下部に遮蔽板を取り付けて、前記水路において前記遮蔽板上部から下部に向かう水流を作り出すようにしたことを特徴とする請求項７に記載の除塵用スクリーンを備えた開放型重力式水車。
【発明の詳細な説明】
【技術分野】
【０００１】
この発明は、除塵用スクリーンを備えた開放型重力式水車に係り、特に、夾雑物を水面より上に掻き揚げることなくスクリーンから分離・排除し、除塵用スクリーンとしての機能を効率よく回復させることができ、開放型重力式水車を前記除塵用スクリーンと組み合わせて河川の本流にも設置することができるようにしたものである。
【背景技術】
【０００２】
従来の除塵装置はすべて、スクリーンで捕獲した夾雑物をレーキで掻き揚げて別な場所に集積し、いわゆる産業廃棄物として処理していた。
【０００３】
しかしながら従来のレーキ掻き揚げ式のスクリーンの場合、以下の点が課題となる。
ａ．夾雑物は、水面より上に掻き揚げた時点で産業廃棄物となり、再び水中に戻すことができなくなる。
ｂ．そのため夾雑物の掻き揚げ装置の他に、掻き揚げた夾雑物の移動集積装置が必要となり、集積された夾雑物に対しては、産業廃棄物としての処理が必要となる。
【０００４】
そこで本発明者は先に、特願２００５−７５０号（特開２００６−１７７１３３号公報、特許文献１参照）において、昇降可能な可動スクリーンと、通常可動スクリーンの上部に位置しているレーキとを備え、レーキを可動スクリーンに沿って降下させて夾雑物をスクリーンの下部に押しやるとともに、前記スクリーンを所定高さまで持ち上げて、可動スクリーンから分離した夾雑物を可動スクリーンの下部から排出させるようにした除塵用スクリーンを提案した。
【０００５】
他方、特開２００７−４０２１７号公報（特許文献２参照）には、河川敷等に設置され、川の流れを利用して水車を回転させることによって発電を行う簡易設置型の水力式の発電装置であって、内部に中空フロート部を有し、外周面に複数枚の水掻き板が放射状に植設されたドラム型の水車と、該水車の車軸に対して直結される動力増幅装置及び発電機と、上記水車を川幅方向に車軸が向くように水面に浮かべて回転自在に支持する支持部材とを備えた水力式発電装置が提案されている。
【先行技術文献】
【特許文献】
【０００６】
【特許文献１】特開２００６−１７７１３３号公報
【特許文献２】特開２００７−４０２１７号公報
【発明の開示】
【発明が解決しようとする課題】
【０００７】
しかしながら、開放型重力式水車を河川の本流に設置しようとしても、塵芥や木材等の各種夾雑物の流入によって水車の羽根等が短い期間で損壊してしまうという問題があり、従来、実用に耐えられる河川の本流に設置可能な開放型重力式水車が存在しなかったのである。
【課題を解決するための手段】
【０００８】
そこでこの発明の除塵用スクリーンを備えた開放型重力式水車は、水路の上部に設けられた支軸に首振り可能に取り付けられ、かつ下部に遮蔽板を取り付けることにより、前記水路において前記遮蔽板上部から下部に向かう水流を作り出すスクリーン本体と、該スクリーンの前面を昇降するよう設置した降下式レーキとを備えた除塵用スクリーンと、
前記スクリーン本体の背面側において、前記支軸に首振り可能に取り付けられた発電用水車とを有するようにしたことを特徴とするものである。
【０００９】
この発明の除塵用スクリーンを備えた開放型重力式水車は、
１）前記水路内に配置した前記スクリーン本体の前面に夾雑物が溜まると降下式レーキを下降させて夾雑物を遮蔽板より下に押し下げることにより前記スクリーン本体の目詰まりを防止し、かつ一定量の夾雑物が遮蔽板の前面に貯留した場合には、前記除塵用スクリーンおよび発電用水車を支軸を中心に水路の後方に向けて首振りさせて所定高さまで持ち上げることにより、夾雑物を水路底との隙間から強制排出させ、
２）大雨や台風等で水路が増水した場合には、前記除塵用スクリーンおよび発電用水車を支軸を中心に水路の後方に向けて首振りさせることにより、それぞれ水路上に持ち上げ可能としたことをも特徴とするものである。
【００１０】
この発明の除塵用スクリーンを備えた開放型重力式水車において、前記スクリーン本体および発電用水車は、前記除塵用スクリーンおよび発電用水車を支軸を中心に水路の後方に向けて首振りさせて水路上に持ち上げる際、前記降下式レーキで前記スクリーン本体の下部を押し上げて、前記スクリーン本体のみならず前記発電用水車をも水路上に持ち上げることができるようにしたことをも特徴とするものである。
【００１１】
この発明の除塵用スクリーンを備えた開放型重力式水車において、前記スクリーン本体および発電用水車は、それぞれ支軸の反対側にバランス用重りを取り付けられており、
前記スクリーン本体のバランス用重りは、前記スクリーン本体の先端を水路の底面に押し付けるよう常態において支軸の後方位置に配置され、前記スクリーン本体を水路上に持ち上げる際には、負荷が軽減できるように重りを支軸の前方位置に移動し、
前記発電用水車のバランス用重りは、前記発電用水車を水路上に持ち上げる際には、負荷が軽減できるように重りを支軸の前方位置に移動することを特徴とするものである。
【００１２】
この発明の除塵用スクリーンを備えた開放型重力式水車において、前記スクリーン本体および発電用水車に取り付けたバランス用重りは、前記除塵用スクリーンおよび発電用水車を支軸を中心に水路の後方に向けて首振りさせて水路上に持ち上げる際、負荷が軽減できるように重りの重心位置や重量を調節可能としたことをも特徴とするものである。
【００１３】
この発明の除塵用スクリーンを備えた開放型重力式水車において、前記スクリーン本体と発電用水車との間に、竹や木材等の長尺の夾雑物が挟まった場合は、前記発電用水車のみ首振りして持ち上げられ、前記遮蔽板との隙間が拡大してその部分を水が通過することで前記発電用水車にかかる回転力は減少し、回転トルクがなくなった前記発電用水車は無理な回転をしなくなって特に致命的な損傷を受けることがないようにしたことをも特徴とするものである。
【００１４】
この発明の除塵用スクリーンを備えた開放型重力式水車において、前記スクリーン本体と発電用水車とからなる開放型重力式水車が、前記水路の上部に設けられた支軸に首振り可能に取り付けられた１または２以上の付随する発電用水車を下流側に所定の間隔で連結し、かつ付随する発電用水車の首振りを前記主たる発電用水車の駆動手段で連動して行うとともに、水路の増水の際には一斉に発電用水車を水路上に持ち上げることを可能としたことをも特徴とするものである。
【００１５】
この発明の除塵用スクリーンを備えた開放型重力式水車において、前記付随する発電用水車が、その上流側の下部に遮蔽板を取り付けることにより、前記水路において前記遮蔽板上部から下部に向かう水流を作り出すようにしたことをも特徴とするものである。
【発明の効果】
【００１６】
この発明の除塵用スクリーンを備えた開放型重力式水車によれば以下のような効果を得ることができる。
Ａ．除塵用スクリーンの上部から水流が開放型重力式水車に流入するので、小規模な河川でも発電に必要な位置エネルギーを得ることができ、発電効率のよい開放型重力式水車を提供することができる。
Ｂ．河川が不意に増水しても、簡便な操作で除塵用スクリーンおよび開放型重力式水車を水面より上に避難させることができ、水の流下の支障とならないようにすることができる。
Ｃ．夾雑物を水中で集積させ、スクリーンから分離させるため、長時間の連続運転が可能で、夾雑物は産業廃棄物とならず、そのまま流下させることができる。
Ｄ．最も装置破壊の原因となりやすい長尺の夾雑物に対処することができる。
Ｅ．産業廃棄物が発生しないので、移動集積装置及び塵芥の処理が不要となる。
【００１７】
また、上記一連のプロセス、
１）前記水路内に配置した前記スクリーン本体の前面に夾雑物が溜まると降下式レーキを下降させて夾雑物を遮蔽板より下側に押し下げることにより前記スクリーン本体の目詰まりを防止する。
２）一定量の夾雑物が遮蔽板の前面に貯留した場合には前記除塵用スクリーンおよび発電用水車を支軸を中心に水路の後方に向けて首振りさせて所定高さまで持ち上げて夾雑物を水路底との隙間から強制排出させる。
３）大雨や台風等で水路が増水した場合には、前記除塵用スクリーンおよび発電用水車を支軸を中心に水路の後方に向けて首振りさせて、それぞれ水路上に持ち上げる。
という工程を制御システムにおいてプログラムすることにより、開放型重力式水車の発電機構や除塵用スクリーンの除塵機能を自動的に維持させることができ、河川の本流において長期間使用可能な除塵用スクリーンを備えた開放型重力式水車を提供することができる。
もちろん、夾雑物を水中で処理するために産業廃棄物が発生せず、除塵システムを簡素化することができる。
【図面の簡単な説明】
【００１８】
【図１】この発明の除塵用スクリーンを備えた開放型重力式水車の１実施例において、通常の除塵および発電状況を示す概略図である。
【図２】除塵用スクリーンに溜まった夾雑物を降下式レーキで掻き下ろす途中段階の概略図である。
【図３】除塵用スクリーンに溜まった夾雑物を降下式レーキで掻き下ろした段階の概略図である。
【図４】除塵用スクリーンを持ち上げてその下部に溜まった夾雑物を水流に乗せて排出する状態を示す概略図である。
【図５】除塵用スクリーンと開放型重力式水車との間に長尺の夾雑物が挟まった状態を示す概略図である。
【図６】除塵用スクリーンと開放型重力式水車とを水路上に持ち上げる操作を説明する概略図である。
【図７】除塵用スクリーンと開放型重力式水車とを水路上に持ち上げた状態を説明する概略図である。
【図８】開放型重力式水車の下流側に付随する発電用水車を連設した状態を説明する概略図である。
【図９】その拡大図である。
【発明を実施するための最良の形態】
【００１９】
以下この発明の除塵用スクリーンの実施の形態を、図面に基いて詳細に説明する。
この発明の除塵用スクリーンを備えた開放型重力式水車の１実施例を示す図１ないし図７において、例えば小規模な河川からなる水路１１の上部に、所定の間隔で設置された支柱や側壁等に差し渡して設けられた支軸１２に除塵用スクリーンのスクリーン本体１３が首振り可能に取り付けられている。
そして、前記スクリーン本体１３はその下部の背面側に遮蔽板１４が取り付けられていて、前記水路１１の水流として矢印Ｆのような前記遮蔽板１４の上部から下部に向かう水流を作り出すようになっている。
またスクリーン本体１３の前面に沿って昇降する降下式レーキ１５が、前記水路１１上の所定位置に軸部１５aを軸支して取り付けられている。この降下式レーキ１５は、前記回動させる方式のみならず、例えば各種のアクチュエータを用いた押し下げ式等とすることができる。
【００２０】
前記降下式レーキ１５は、その爪部１６がスクリーン本体１３の隙間にはめ込まれる状態で下向きに保持されている。なお、爪部１６は前記降下式レーキ１５が水面上にある時には、水流に妨げにならないように持ち上げた状態としておくことができる。
前記降下式レーキ１５の駆動は、降下時にはそれ自体の自重もしくは動力で降下させ、引き揚げる際は巻き上げ式ワイヤによって上昇させたり、油圧シリンダその他の駆動装置で昇降させたりすることができる。
【００２１】
その上で、前記スクリーン本体１３の背面側において、前記水路１１の上部に設けられた前記支軸１２には、発電用水車２１が首振り可能に取り付けられている。
すなわち、前記発電用水車２１は、前記支軸１２に首振り可能に取り付けた左右に一対の支持アーム２２間に差し渡され、かつ回転可能に取り付けた回転軸２３と、該回転軸２３に固定した左右に一対の側板２４と、該側板２４間に差し渡して固定したほぼ円弧状断面の羽根板２５とを備えたものである。なお、前記水路１１の側壁が垂直であれば、前記側板２４は不要である。
そして、前記円弧状断面の多数の羽根板２５を前記回転軸２３を中心として放射状となるよう配置している。２３ａは前記発電用水車２１によって駆動される駆動ベルトで、前記支軸１２の同軸上に設置した増速機または発電機２３ｂを回転させるものである。
このように、一般的に重量の大きい増速機または発電機２３ｂを前記支軸１２の同軸上に設置することにより、前記発電用水車２１の首振り等の負担になることがない。
前記円弧状断面の羽根板２５の素材や枚数、取付角度等は、前記発電用水車２１の直径や長さ、また河川の水流の速さや水量等に応じて適宜決定することができる。
【００２２】
前記スクリーン本体１３および発電用水車２１には、前記支軸１２の反対側にそれぞれバランス用重り１３ａおよび２１ａが棒状の取付ガイド３１を介して取り付けられている。
そして前記スクリーン本体１３のバランス用重り１３ａは、前記スクリーン本体１３の先端を水路１１の底面に適度に押し付けるよう、常態において前記支軸１２の後方位置（下流側）に配置され、前記スクリーン本体１３が方向に首振りして水路１１上に持ち上げる際には、支軸１２の前方位置（上流側）に移動して、負荷が軽減できるようになっている。
【００２３】
また、前記発電用水車２１のバランス用重り２１ａは、前記発電用水車２１を水路１１の底面に適度に押し付けるとともに、前記発電用水車２１を水路１１上に持ち上げる際には、前記支軸１２の前方位置（上流側）において該発電用水車２１による負荷を軽減し、発電用水車２１を持ち上げるために多大な労力を必要としないように考慮されている。
前記バランス用重り１３ａ，２１ａはいずれも円盤状をなしており、前記棒状の取付ガイド３１に所定の枚数取り付けることによってその重さを調整することができ、現地において水流の強さや水量、その他を勘案して適宜枚数を取り付ければよい。
もちろん、前記重りの形状や取付方法等は、他の形状や他の取付方法であってもよい。
【００２４】
この発明に係る除塵用スクリーンを備えた開放型重力式水車は、次のように操作される。
＜通常の水位の時＞
（ａ）ステップ１（図１参照）
除塵用スクリーンの主目的である除塵時は、前記スクリーン本体１３の下端は川底まで降りている。
そして、降下式レーキ１５は水面よりも上に引き揚げておく。
この状態においては、前記スクリーン本体１３の遮蔽板１４により、前記水路１１の水流として矢印Ｆのような前記遮蔽板１４の上部から下部に向かう水流が発生するので、該水流が円弧状断面の羽根板２５を押し下げて回転力を生み、前記発電用水車２１が作動して発電する。
【００２５】
（ｂ）ステップ２（図２、図３参照）
使用中に前記スクリーン本体１３に溜まった夾雑物３０を取り除く場合は、降下式レーキ１５を前記スクリーン本体１３に沿って水中に降下させ、前記スクリーン本体１３が捕捉した夾雑物３０を前記遮蔽板１４より下部の底周辺に押し下げる。
このように降下式レーキ１５をスクリーン本体１３に沿って降下させ、夾雑物３０をスクリーン本体１３の下部に押しやった状態では、上部の通水能力が回復するのでそのまま通水および発電することができる。
【００２６】
（ｃ）ステップ３（図４参照）
前記スクリーン本体１３下部に夾雑物３０がある程度たまり、これを取り除く場合には、降下式レーキ１５を所定の位置まで降ろしたままスクリーン本体１３を上昇させると、夾雑物３０だけ降下式レーキ１５の下に取り残される。取り残されてスクリーン本体１３から分離した夾雑物３０は、スクリーン本体１３と水路１１の底面の間の空間に放たれ、スクリーン本体１３による拘束がなくなるので水の流れに乗って排除される。
【００２７】
（ｄ）ステップ４（図５参照）
なお、使用中に前記スクリーン本体１３と発電用水車２１との間に、竹や木材等の長尺の夾雑物３０ａが挟まった場合は、前記発電用水車２１のみ首振りして持ち上げられるので、前記遮蔽板１４との隙間が拡大してその部分を水が通過することで前記発電用水車２１にかかる回転力は減少し、回転トルクがなくなった前記発電用水車２１は無理な回転をしなくなるので特に致命的な損傷を受けることがない。
【００２８】
＜増水時＞
（ｅ）ステップ５（図６参照）
河川の増水時には、前記スクリーン本体１３と発電用水車２１とを、前記スクリーン本体１３の駆動機構もしくは前記スクリーン本体１３と発電用水車２１の両者に備えさせた駆動機構により、水流の下流側にスイングさせる。
【００２９】
（ｆ）ステップ５（図７参照）
前記スクリーン本体１３と発電用水車２１の両者を水面より上に上昇させると、増水時にも本発明の装置が水流の妨げになることがない。前記スクリーン本体１３および発電用水車２１に取り付けた前記バランス用重り１３ａおよび２１ａは、このような前記スクリーン本体１３と発電用水車２１の両者を水面より上に上昇させる操作を大きなトルクを要することなく行うことができ、しかも上昇位置において無理なく保持させておくことを可能としている。
水面付近を浮遊していた夾雑物は前記スクリーン本体１３と発電用水車２１の両者を水面より上に上昇させた際、自然に流下する。
【００３０】
（ｇ）ステップ６
増水が収まれば、最初の位置に前記スクリーン本体１３と発電用水車２１を降下させ、所定位置に降下式レーキ１５をセットし、再び発電および除塵を開始する（ステップ１）。以上のプロセスを繰り返すことにより、スクリーンの除塵機能を維持しつつ、効率的に発電を行うことができる。
【００３１】
上記した（ａ）〜（ｇ）の一連のプロセスを制御システムにおいてプログラムすることにより、スクリーン本体における除塵機能を自動的に維持させつつ発電を継続することができ、また夾雑物を水中で処理するために産業廃棄物が発生せず、装置全体を簡素化することができる。
【００３２】
次に図８は、前記開放型重力式水車の下流側に、１また２以上の付随する発電用水車を連設した実施例を説明する概略図、図９はその拡大図である。
この実施例の除塵用スクリーンを備えた開放型重力式水車では、前記スクリーン本体１３と発電用水車２１とからなる開放型重力式水車の下流側において、前記水路１１の上部に設けられた支軸１２に所定の間隔で、１または２以上の付随する発電用水車４１が首振り可能に取り付けてある。
【００３３】
そして、前記支軸１２と付随する各発電用水車４１の回転軸２３との間を連結する支持アーム２２を前記支軸１２から反対側に延長して駆動レバー４２とし、この付随する発電用水車４１の首振りを、前記水路１１上に設けたパワーシリンダー等の直線作動機４３によって駆動レバー４２を駆動することにより行うものである。この直線作動機４３による首振り運動は、前記主たる発電用水車２１と連動して行われる。４４は直線作動機４３によって牽引される伝動レバー、４５は各レバー４２，４４間を連結する牽引ワイヤ等からなる連結手段である。
なお、連結板と鋼棒とユニバーサルジョイントを用いて回転力を伝達させる方法によれば、曲線部の水路に対しても適用が可能となる。
【００３４】
したがって、この実施例に係る開放型重力式水車の下流側に設けた１また２以上の付随する発電用水車は、次のように操作される。なお、除塵用スクリーンの操作については省略する。
通常の発電時においては、１または２以上の付随する発電用水車４１は水中に没した状態にある。
他方、大雨や台風等で水路が増水した場合には、前記除塵用スクリーンを備えた発電用水車２１および付随する発電用水車４１を、前記伝動レバー４４直線作動機４３によって牽引することにより、前記支軸１２を中心に水路１１の後方に向けて首振りさせて、それぞれ水路１１上に持ち上げる。
【００３５】
この実施例の除塵用スクリーンを備えた開放型重力式水車によれば、少ない水量でより高い発電量を得ることができ、しかも除塵用スクリーンは最上流の発電用水車に一式だけ装着すれば付随する発電用水車の除塵は不要となり、非常に低コストで効率のよい発電設備を提供することができるようになる。
【００３６】
なお、前記付随する発電用水車４１にも、その上流側の下部に遮蔽板１４を取り付けてあるので、前記水路１１の水流として前記遮蔽板１４上部から下部に向かう水流が作り出せるようになっており、前記遮蔽板１４の高さにより発電用水車４１の間隔を調整することができる。
【産業上の利用可能性】
【００３７】
この発明の除塵用スクリーンを備えた開放型重力式水車は、小規模な河川等に設置されるばかりでなく、用水路、その他に設けられた種々の水路にも使用することができる。
【符号の説明】
【００３８】
１１  水路
１２  支軸
１３  スクリーン本体
１３ａ  バランス用重り
１４  遮蔽板
１５  降下式レーキ
１５ａ  軸部
１６  爪部
２１  発電用水車
２１ａ  バランス用重り
２２  支持アーム
２３  回転軸
２３ａ  駆動ベルト
２３ｂ  増速機または発電機
２４  側板
２５  羽根板
３０  夾雑物
３０ａ  長尺の夾雑物
３１  取付ガイド
４１  付随する発電用水車
４２  駆動レバー
４３  直線作動機
４４  伝動レバー
４５  連結手段
【図１】
2012215053.tif 000003
【図２】
2012215053.tif 000004
【図３】
2012215053.tif 000005
【図４】
2012215053.tif 000006
【図５】
2012215053.tif 000007
【図６】
2012215053.tif 000008
【図７】
2012215053.tif 000009
【図８】
2012215053.tif 000010
【図９】
2012215053.tif 000011